【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
静止画と、該静止画に関連する関連動画とを記録媒体に記録する記録手段と、
画像の再生を開始する際に最初に表示する開始画像を、前記関連動画とするかどうかを設定する開始画像設定手段と、
前記開始画像設定手段で、前記開始画像を前記関連動画とすると設定されている場合に画像の再生を開始する際に、前記記録媒体に記録された画像のうち前記関連動画を表示するように制御し、
前記開始画像設定手段で、前記開始画像を前記関連動画とすると設定されていない場合に画像の再生を開始する際に、前記記録媒体に記録された画像のうち、前記関連動画であるか否かに関わらない他の条件に基づく画像を表示するように制御する制御手段と
を有することを特徴とする表示制御装置。
【請求項２】
前記開始画像設定手段は、前記開始画像を前記関連動画とするか、前記記録媒体に記録された最新画像とするか、前回再生終了時に最後に表示していた画像であるレジューム画像とするかのいずれかを設定可能であり、
前記制御手段は、前記開始画像設定手段で前記開始画像が前記最新画像に設定されている場合は画像の再生を開始する際に前記最新画像を表示し、前記開始画像設定手段で前記開始画像が前記レジューム画像に設定されている場合には画像の再生を開始する際に前記レジューム画像を表示するように制御することを特徴とする請求項１に記載の表示制御装置。
【請求項３】
撮像手段と、
複数の撮影モードのうちいずれかの撮影モードを設定する撮影モード設定手段を更に有し、
前記記録手段は、前記撮影モード設定手段で特定の撮影モードが設定されている場合に静止画が撮影されると、該撮影された静止画と、該静止画に関連する関連動画とを記録媒体に記録し、
前記制御手段は、画像の再生を開始する際に、前記開始画像設定手段で前記開始画像を前記関連動画とすると設定されており、かつ、前記撮影モード設定手段で前記特定の撮影モードに設定されている場合は前記関連動画を表示するように制御し、前記開始画像設定手段で前記開始画像を前記関連動画とすると設定されていても、前記撮影モード設定手段で前記特定の撮影モードに設定されていない場合には前記他の条件に基づく画像を表示するように制御することを特徴とする請求項１又は２に記載の表示制御装置。
【請求項４】
再生モードと他の動作モードとのいずれかに設定する動作モード設定手段を更に有し、
前記制御手段は、前記再生モードで画像の再生を開始する際に、前記開始画像設定手段で前記開始画像を前記関連動画とすると設定されており、かつ、前記再生モードで電源がオフからオンとなった場合は前記関連動画を表示するように制御し、前記開始画像設定手段で前記開始画像を前記関連動画とすると設定されていても、電源オンで前記他の動作モードから前記再生モードに切り替えられた場合には、前記他の条件に基づく画像を表示するように制御することを特徴とする請求項１又は２に記載の表示制御装置。
【請求項５】
撮像手段と、
複数の撮影モードのうちいずれかの撮影モードを設定する撮影モード設定手段と、
再生モードと他の動作モードとのいずれかに設定する動作モード設定手段とを更に有し、
前記制御手段は、前記再生モードで画像の再生を開始する際に、前記開始画像設定手段で前記開始画像を前記関連動画とすると設定されており、かつ、前記撮影モード設定手段で前記特定の撮影モードに設定されており、かつ、再生モードで電源がオフからオンとなった場合は前記関連動画を表示するように制御し、
前記開始画像設定手段で前記開始画像を前記関連動画とすると設定されていても、前記撮影モード設定手段で前記特定の撮影モードに設定されていない場合及び電源オンで前記他の動作モードから前記再生モードに切り替えられた場合には、前記他の条件に基づく画像を表示するように制御することを特徴とする請求項１又は２に記載の表示制御装置。
【請求項６】
画像の再生を開始する際の前記記録媒体の残容量が前回再生を終了した際の前記記録媒体の残容量と異なるか否かを判定する判定手段を更に有し、
前記制御手段は、前記判定手段によって異なると判定された場合には、前記開始画像設定手段の設定に関わらず、画像の再生を開始する際に前記記録媒体に記録された最新画像を表示するように制御することを特徴とする請求項１乃至５のいずれか１項に記載の表示制御装置。
【請求項７】
撮像手段と、
複数の撮影モードのうちいずれかの撮影モードを設定する撮影モード設定手段と、
前記撮影モード設定手段で特定の撮影モードが設定されている場合に撮影された静止画と、該静止画に関連する関連動画とを記録媒体に記録する記録手段と、
前記撮影モード設定手段で前記特定の撮影モードに設定されている場合に再生モードに移行すると、前記再生モードを開始する際に前記関連動画を表示するように制御し、
前記撮影モード設定手段で前記特定の撮影モードとは異なる撮影モードに設定されている場合に再生モードに移行すると、前記再生モードを開始する際に前記記録媒体に記録された画像のうち前記関連動画であるか否かに関わらない他の条件に基づく画像を表示するように制御する制御手段と
を有することを特徴とする表示制御装置。
【請求項８】
再生モードと他の動作モードとのいずれかに設定する動作モード設定手段を更に有し、
前記制御手段は、前記再生モードで画像の再生を開始する際に、前記撮影モード設定手段で前記特定の撮影モードに設定されていて、かつ、前記再生モードで電源がオフからオンとなった場合は前記関連動画を表示するように制御し、
前記撮影モード設定手段で前記特定の撮影モードに設定されていても、電源オンで前記他の動作モードから前記再生モードに切り替えられた場合には前記他の条件に基づく画像を表示するように制御することを特徴とする請求項７に記載の表示制御装置。
【請求項９】
画像の再生を開始する際の前記記録媒体の残容量が前回再生を終了した際の前記記録媒体の残容量と異なるか否かを判定する判定手段を更に有し、
前記制御手段は、前記判定手段によって異なると判定された場合には、前記撮影モード設定手段の設定に関わらず、画像の再生を開始する際に前記記録媒体に記録された最新画像を表示するように制御することを特徴とする請求項７又は８に記載の表示制御装置。
【請求項１０】
静止画と、該静止画に関連する関連動画とを記録媒体に記録する記録手段と、
再生モードと他の動作モードとのいずれかに設定する動作モード設定手段と、
電源がオフからオンとなった際に前記動作モード設定手段で前記再生モードに設定されている場合に、前記画像の再生を開始する際に前記関連動画を表示するように制御し、
電源オンで前記他の動作モードから前記再生モードに切り替えられた場合には、前記記録媒体に記録された画像のうち前記関連動画であるか否かに関わらない他の条件に基づく画像を表示するように制御する制御手段と
を有することを特徴とする表示制御装置。
【請求項１１】
画像の再生を開始する際の前記記録媒体の残容量が前回再生を終了した際の前記記録媒体の残容量と異なるか否かを判定する判定手段を更に有し、
前記制御手段は、どの状態から前記再生モードが開始されたかに関わらず、画像の再生を開始する際に前記記録媒体に記録された最新画像を表示するように制御することを特徴とする請求項１０に記載の表示制御装置。
【請求項１２】
前記他の条件に基づく画像は、前記記録媒体に記録された最新画像、あるいは前回再生終了時に最後に表示していた画像であるレジューム画像であることを特徴とする請求項１乃至１１のいずれか１項に記載の表示制御装置。
【請求項１３】
前記関連動画は、前記静止画を撮影する指示に応じて記録された動画を含む動画ファイルの動画であることを特徴とする請求項１乃至１２のいずれか１項に記載の表示制御装置。
【請求項１４】
前記関連動画は、複数の静止画に関連する動画であり、関連する静止画より前のファイル番号で記録されることを特徴とする請求項１乃至１３のいずれか１項に記載の表示制御装置。
【請求項１５】
前記関連動画は、所定期間に撮影された複数の静止画のそれぞれを撮影する指示があった際に撮影されていた各動画が連結された動画であることを特徴とする請求項１乃至１４のいずれか１項に記載の表示制御装置。
【請求項１６】
前記制御手段は、画像の再生を開始する際に、該開始の時点を含む所定期間に記録された前記関連動画がない場合には、前記他の条件に基づく画像を表示するように制御することを特徴とする請求項１乃至１５のいずれか１項に記載の表示制御装置。
【請求項１７】
静止画と、該静止画に関連する関連動画とを記録媒体に記録する記録手段と、画像の再生を開始する際に最初に表示する開始画像を、前記関連動画とするかどうかを設定する開始画像設定手段と、を有する表示制御装置における表示制御方法であって、
前記開始画像設定手段で、前記開始画像を前記関連動画とすると設定されている場合に画像の再生を開始する際に、前記記録媒体に記録された画像のうち前記関連動画を表示するように制御し、
前記開始画像設定手段で、前記開始画像を前記関連動画とすると設定されていない場合に画像の再生を開始する際に、前記記録媒体に記録された画像のうち、前記関連動画であるか否かに関わらない他の条件に基づく画像を表示するように制御する制御工程を有することを特徴とする表示制御方法。
【請求項１８】
撮像手段と、複数の撮影モードのうちいずれかの撮影モードを設定する撮影モード設定手段と、前記撮影モード設定手段で特定の撮影モードが設定されている場合に撮影された静止画と、該静止画に関連する関連動画とを記録媒体に記録する記録手段と、を有する表示制御装置における表示制御方法であって、
前記撮影モード設定手段で前記特定の撮影モードに設定されている場合に再生モードに移行すると、前記再生モードを開始する際に前記関連動画を表示するように制御し、
前記撮影モード設定手段で前記特定の撮影モードとは異なる撮影モードに設定されている場合に再生モードに移行すると、前記再生モードを開始する際に前記記録媒体に記録された画像のうち前記関連動画であるか否かに関わらない他の条件に基づく画像を表示するように制御する制御工程を有することを特徴とする表示制御方法。
【請求項１９】
静止画と、該静止画に関連する関連動画とを記録媒体に記録する記録手段と、再生モードと他の動作モードとのいずれかに設定する動作モード設定手段と、を有する表示制御装置における表示制御方法であって、
電源がオフからオンとなった際に前記動作モード設定手段で前記再生モードに設定されている場合に、前記画像の再生を開始する際に前記関連動画を表示するように制御し、
電源オンで前記他の動作モードから前記再生モードに切り替えられた場合には、前記記録媒体に記録された画像のうち前記関連動画であるか否かに関わらない他の条件に基づく画像を表示するように制御する制御工程を有することを特徴とする表示制御方法。
【請求項２０】
コンピュータを、請求項１乃至１６のいずれか１項に記載された表示制御装置の各手段として機能させるためのプログラム。
【請求項２１】
コンピュータを、請求項１乃至１６のいずれか１項に記載された表示制御装置の各手段として機能させるためのプログラムを格納した記憶媒体。
【手続補正２】
【補正対象書類名】明細書
【補正対象項目名】０００８
【補正方法】変更
【補正の内容】
【０００８】
上記課題を解決し、目的を達成するために、本発明の表示制御装置は、静止画と、該静止画に関連する関連動画とを記録媒体に記録する記録手段と、画像の再生を開始する際に最初に表示する開始画像を、前記関連動画とするかどうかを設定する開始画像設定手段と、前記開始画像設定手段で、前記開始画像を前記関連動画とすると設定されている場合に画像の再生を開始する際に、前記記録媒体に記録された画像のうち前記関連動画を表示するように制御し、前記開始画像設定手段で、前記開始画像を前記関連動画とすると設定されていない場合に画像の再生を開始する際に、前記記録媒体に記録された画像のうち、前記関連動画であるか否かに関わらない他の条件に基づく画像を表示するように制御する制御手段とを有する。